(57)【要約】【課題】  自動車の走行による振動や熱などの経年変化により仕様板が破損して落下、脱落する恐れがなく、また、上、下水道用マンホールの入口から入る塵埃や泥水などが、仕様板の表面に付着して、仕様板の表面が汚れることがない。【解決手段】  上、下水道用マンホールの入口近傍の側塊に固設するための一対の取付部と、この取付部をそれぞれほぼＬ字状に折曲した一対の立上げ部と、この立上げ部の各端部間に、端部に捩子部を設けた複数のスタッドを適宜固着した仕様板取付部を一体形成した仕様板取付具であり、ほぼ平面状の仕様板を仕様板取付部に前記捩子部とナットを介して適宜空間を設けて固定した。【選択図】  図１
2005036614.tif 000002
【特許請求の範囲】
【請求項１】
上、下水道用マンホールの入口近傍の側塊に固設するための一対の取付部と、この取付部をそれぞれほぼＬ字状に折曲した一対の立上げ部と、この立上げ部の各端部間に、端部に捩子部を設けた複数のスタッドを適宜固着した仕様板取付部を一体形成した仕様板取付具であり、ほぼ平面状の仕様板を前記仕様板取付部に前記捩子部とナットを介して適宜所定の空間を設けて固定したことを特徴とする仕様板取付具。
【請求項２】
請求項１項記載の仕様板取付具において、仕様板取付部をほぼ円弧状の形状にしたことを特徴とする仕様板取付具。
【発明の詳細な説明】
【発明の詳細な説明】
【技術分野】
【０００１】  本発明は、上、下水道用マンホールに取り付けられる例えば仕切弁明示板のごとき仕様板の仕様板取付具に関するものである。
【背景技術】
【０００２】  図３は、例えば直壁型水道用マンホール１内に周知の平面状の仕切弁明示板２を取り付けた状態を示す上面図である。
図３において、１は周知の直壁型水道用マンホールであり、２は例えば周知の平面状の仕切弁明示板であり、３は前記水道用マンホール１の入口１ａ近傍の側塊である。
前記周知の平面状の仕切弁明示板２は、前記直壁型水道用マンホール１の入口１ａ近傍の側塊３に、ボルト、アンカーなどの取付金具４によって空間を設けることなく直接密着固定されている。
【発明が解決しようとする課題】
【０００３】  従って、このような従来の平面状仕切弁明示板２の取り付け方法では、自動車の走行による振動や熱などの経年変化により仕切弁明示板２が破損して落下、脱落する恐れがあった。
また、水道用マンホール１の入口１ａ近傍の側塊３と仕切弁明示板２の裏面との間には、全く隙間がないため、水道用マンホール１の入口１ａから入る塵埃や泥水などが仕切弁明示板２の表面に付着して汚れ、文字などが判明できないなどの問題点があった。
【課題を解決するための手段】
【０００４】  本発明の仕様板取付具は、前記課題を解決することを目的とし、上、下水道用マンホールの入口近傍の側塊に固設するための一対の取付部と、この取付部をそれぞれほぼＬ字状に折曲した一対の立上げ部と、この立上げ部の各端部間に、端部に捩子部を設けた複数のスタッドを適宜固着した仕様板取付部を一体形成した仕様板取付具であり、ほぼ平面状の仕様板を前記仕様板取付部に前記捩子部とナットを介して適宜空間を設けて固定したことを特徴とする。
【０００５】  また、本発明の仕様板取付具において、前記仕様板取付部をほぼ円弧状の形状にしたことを特徴とする。
【発明を実施するための最良の形態】
【０００６】  以下、本発明の仕様板取付具の一実施例を、図１乃至図２を参照して説明する。
図１は、本発明の仕様板取付具と仕様板との関係を示す展開斜視図である。図２は、本発明の仕様板取付具を水道用マンホールの入口近傍の側塊に取り付けた状態を示す上面図である。
なお、図１乃至図２において、図３における符号と同じ部分には同じ符号を付してある。【０００７】  各図において、２０は、水道用マンホール１の入口１ａ近傍の側塊３に、ボルト、アンカーなどの取付金具４によって固設するための一対の取付部２０ａと、この取付部２０ａをそれぞれほぼＬ字状に折曲した一対の立上げ部２０ｂと、この立上げ部２０ｂの各端部２０ｂｂ間に、端部に捩子部２１ａを設けた複数のスタッド２１を適宜固着したステンレス製からなる例えばほぼ円弧状の仕切弁明示板取付部２０ｃを一体形成した本発明の仕様板取付具である。
そして、アクリル加工による例えばほぼ平面状の仕切弁明示板２が、前記仕切弁明示板取付部２０ｃに、スタッド２１の捩子部２１ａとナット２２、ワッシャ２３とによって適宜所定の空間２４を設けて固定されている。【０００８】  前記仕切弁明示板取付部２０ｃは、ほぼ円弧状に形成してあるため極めて強固である。また、前記仕切弁明示板２は、複数のスタッド２１に固定されているため、万が一この仕切弁明示板２が破損した場合でも脱落し落下することはない。【０００９】  なお、本発明の実施例では、仕様板として仕切弁明示板を使用した場合であり、また、仕切弁明示板取付部の形状をほぼ円弧状にしたが、これに限らず、特許請求の範囲を逸脱しない範囲内で他のものでも適用できること勿論である。
また、本発明の実施例では、マンホール１を水道用のマンホールとして説明したが、下水道用のマンホールにも適用可能である。
また、前記上、下水道用マンホールとしては、直壁型、円弧壁型のいずれにも適用可能である。
【発明の効果】
【００１０】  本発明の仕様板取付具は、以上説明したように、上、下水道用マンホールの入口近傍の側塊に固設するための一対の取付部と、この取付部をそれぞれほぼＬ字状に折曲した一対の立上げ部と、この立上げ部の各端部間に、端部に捩子部を設けた複数のスタッドを適宜固着した仕様板取付部を一体形成した仕様板取付具であり、ほぼ平面状の仕様板を前記仕様板取付部に前記捩子部とナットを介して適宜所定の空間を設けて固定したものであるから、自動車の走行による振動や熱などの経年変化により仕様板が破損して落下、脱落する恐れがなく、また、上、下水道用マンホールの入口近傍の側塊と仕様板取付具の裏面との間および仕様板取付具と仕様板との間には、それぞれ所定の空間ができるため上、下水道用マンホールの入口から入る塵埃や泥水などは、上、下水道用マンホール内下方に落下し、仕様板の表面に付着することが少なく、仕様板の表面が汚れて文字などが判明できなくなるということがなくなるなどの効果がある。
【図面の簡単な説明】
【図１】  本発明の仕様板取付具と仕様板との関係を示す展開斜視図である。
【図２】  本発明の仕様板取付具を水道用マンホールの入口近傍の側塊に取り付けた状態を示す上面図である。
【図３】  従来における例えば直壁型水道用マンホール内に周知の平面状の仕切弁明示板を取り付けた状態を示す上面図である。
【符号の説明】
１        水道用マンホール
１ａ      水道用マンホールの入口
２        周知の平面状の仕切弁明示板
３        水道用マンホールの側塊
４        ボルト、アンカーなどの取付金具
２０      本発明の仕様板取付具
２０ａ    一対の取付部
２０ｂ    一対の立上げ部
２０ｂｂ  立上げ部２０ｂの端部
２０ｃ    例えば円弧状の仕切弁明示板取付部
２１      スタッド
２１ａ    捩子部
２２      ナット
２３      ワッシャ      ２４      空間
【図１】
2005036614.tif 000003
【図２】
2005036614.tif 000004
【図３】
2005036614.tif 000005